(57)【要約】【課題】  荷重が大きくなってもロープがプーリ中心側に寄らず、ロープが傷んだり、けん引速度が遅くなり過ぎたりし難いプーリを提供する。【解決手段】  プーリ２０は、ロープ溝２１の対向する左右の内側壁面２１Ａ、２１Ｂに、周方向に放射状に配設した多数の左突起部２２Ａと右突起部２２Ｂが左右に間隔を開けて左右対称に対向して突設されており、ロープ溝２１の中の左突起部２２Ａと右突起部２２Ｂの間にけん引ロープ７を挿入して巻き掛けるものである。対向する各一対の左突起部２２Ａと右突起部２２Ｂに対応付けて、左突起部２２Ａの内周寄り端部と右突起部２２Ｂの内周寄り端部の間に凸側が外周方向を向いた外向き突起部２２Ｃを設け、一対の左突起部２２Ａと右突起部２２Ｂ及びこれらの内周寄り端部間設けた外向き突起部２２Ｃとにより、ロープ溝２１に巻かれたけん引ロープ７の断面が略コ字状または略Ｕ字状に挟まれるようにする。【選択図】      図６
2020143775.tif 000002
【特許請求の範囲】
【請求項１】
ロープ溝の対向する左右の内側壁面の各々に、周方向に放射状に配設した多数の左突起部と右突起部が左右に間隔を開けて左右対称に対向して突設されており、ロープ溝の中の左突起部と右突起部の間にロープを挿入して巻き掛けるようにしたプーリにおいて、
対向する各一対の左突起部と右突起部に対応付けて、左突起部の内周寄り端部と右突起部の内周寄り端部の間に凸側が外周方向を向いた外向き突起部を設け、
一対の左突起部と右突起部及びこれらの左突起部と右突起部の内周寄り端部間に設けた外向き突起部とにより、ロープ溝に巻かれたロープの断面が略コ字状または略Ｕ字状に挟まれるようにしたこと、
を特徴とするプーリ。
【請求項２】
ロープ溝の左右の内壁面は、Ｖ字状に傾斜していること、
を特徴とする請求項１記載のプーリ。
【請求項３】
対向する各一対の左突起部と右突起部は、プーリ中心からの半径方向から、プーリのけん引回転方向と同じ方向に傾斜して設けられていること、
を特徴とする請求項１または２記載のプーリ。
【請求項４】
外向き突起部のプーリ軸に垂直な断面は、外向き突起部が対応する一対の左突起部と右突起部の延びた方向に向けて山形となっていること、
を特徴とする請求項１乃至３の内のいずれか一項記載のプーリ。
【発明の詳細な説明】
【技術分野】
【０００１】
本発明はプーリに係り、とくにロープ溝に放射状に多数の突起部が形成されたプーリに関する。
【背景技術】
【０００２】
電動式の登高器やロープけん引装置では、ロープを巻きかけたプーリを電動ドライバやモータ等の回転駆動手段により回転駆動し、ロープをプーリの周方向へ移動して、登高器を上昇させたり、ロープをけん引したりするようにしている。図１、図２は従来の電動式のロープけん引装置の概略構成図であり、略方形板状の本体１の中央にプーリ２が回転自在に装備されており、プーリ２の上側の左右に入り口ロープガイド３、出口ロープガイド４が装着されている。プーリ２の下側には固定ロープ５を取り付けるためのロープ取り付け孔６が形成されている。本体１に搭載された図示しない減速機構の出力側の回転軸８がプーリ２の軸孔９に嵌着されている。
【０００３】
ロープけん引装置を使用する場合、ロープ取り付け孔６に固定ロープ５の一端側を取り付け、他端側を柱等に固定しておく。また、一端側がけん引対象物に締結されたけん引ロープ７の他端側を入り口ロープガイド３、プーリ２のロープ溝１０、出口ロープガイド４に巻きかけておく。プーリ２が装着された回転軸８を図示しない減速機構を介して電動ドライバにより反時計方向に回転させると、けん引ロープ７がプーリ２の周方向に沿って移動し、けん引対象物を装置側へけん引する。
【０００４】
ところで、プーリ２のロープ溝１０が単純なＶ字溝のままであると、けん引ロープ７に合成繊維ロープや麻ロープを用いたときにけん引ロープ７とプーリ２の間に滑りが生じ易い。このため、従来から、図１、図２に示す如くロープ溝１０の内壁面１０Ａ、１０Ｂに対向させて放射状に断面山形の多数の突起部１１Ａ、１１Ｂを突設しておき、プーリ２に巻き掛けたけん引ロープ７が対向する突起部１１Ａ、１１Ｂの間に挟まると、突起部１１Ａと１１Ｂがけん引ロープ７に食い込んで滑りにくくなるようにしている。
【０００５】
けれども、けん引ロープ７に掛かる荷重が大きくなったとき、図３に示す如く、けん引ロープ７がプーリ２の中心側に寄ってしまい（図３の矢印Ｘ参照）、左右の突起部１１Ａ、１１Ｂ間にけん引ロープ７が強く挟圧されて傷んだり、プーリ２の中心とプーリ２に巻かれたけん引ロープ７の距離が短くなって電動ドライバの負荷が激増し、けん引速度が遅くなり過ぎたり、けん引不能になったりする問題があった。
【発明の概要】
【発明が解決しようとする課題】
【０００６】
本発明は上記した従来技術の問題に鑑みなされたもので、荷重が大きくなってもロープがプーリ中心側に寄らず、ロープが傷んだり、けん引速度が遅くなり過ぎたりけん引不能になったりし難いプーリを提供することを、その目的とする。
【課題を解決するための手段】
【０００７】
請求項１記載の発明では、
ロープ溝の対向する左右の内側壁面の各々に、周方向に放射状に配設した多数の左突起部と右突起部が左右に間隔を開けて左右対称に対向して突設されており、ロープ溝の中の左突起部と右突起部の間にロープを挿入して巻き掛けるようにしたプーリにおいて、
対向する各一対の左突起部と右突起部に対応付けて、左突起部の内周寄り端部と右突起部の内周寄り端部の間に凸側が外周方向を向いた外向き突起部を設け、
一対の左突起部と右突起部及びこれらの左突起部と右突起部の内周寄り端部間に設けた外向き突起部とにより、ロープ溝に巻かれたロープの断面が略コ字状または略Ｕ字状に挟まれるようにしたこと、
を特徴としている。
請求項２記載の発明では、
ロープ溝の左右の内壁面は、Ｖ字状に傾斜していること、
を特徴としている。
請求項３記載の発明では、
対向する各一対の左突起部と右突起部は、プーリ中心からの半径方向から、プーリのけん引回転方向と同じ方向に傾斜して設けられていること、
を特徴としている。
請求項４記載の発明では、
外向き突起部のプーリ軸に垂直な断面は、外向き突起部が対応する一対の左突起部と右突起部の延びた方向に向けて山形となっていること、
を特徴としている。
【発明の効果】
【０００８】
本発明によれば、プーリに巻きかけたロープに掛かる荷重が大きくなって、プーリの中心寄りに移動しようとしても、外向き突起部に当接して邪魔されるので、プーリの中心側に寄ることはなく、ロープが傷んだり、けん引速度が遅くなり過ぎたりけん引不能になったりする不具合が生じ難くなる。
【図面の簡単な説明】
【０００９】
【図１】図１は従来のロープけん引装置の概略構成図である。
【図２】図２は図１中のプーリの正面図である。
【図３】図１中のプーリの問題点の説明図である。
【図４】本発明の一実施例に係るプーリの外観斜視図である。
【図５】図４の正面図である。
【図６】図４のプーリの右側面図である。
【図７】図５のＶＩＩ−ＶＩＩ’線に沿った断面図である。
【図８】図４のプーリの変形例に掛かるプーリ半体の説明図である。
【図９】図８と対を成すプーリ半体の説明図である。
【発明を実施するための最良の形態】
【００１０】
以下、本発明の最良の形態を実施例に基づき説明する。
【実施例１】
【００１１】
図４乃至図７を参照して本発明に係るプーリの一実施例を説明する。図４は本発明に係るプーリの外観斜視図、図５は図４の正面図、図６は図４の右側面図、図７は図５のＶＩＩ−ＶＩＩ’線に沿った断面図である。なお、図１乃至図３と同一の構成部分には同一の符号が付してある。
図４乃至図７において、２０はアルミ製のプーリであり、ここでは、図１のロープけん引装置のプーリ２に代えて用いられるものとする。プーリ２０のＶ字状のロープ溝（Ｖ字溝）２１の左内壁面２１Ａと右内壁面２１Ｂの各々には、周方向に放射状に配設した多数の左突起部２２Ａと右突起部２２Ｂが左右方向（軸方向）に間隔を開けて左右対称に対向して突設されている。プーリ２０のけん引回転方向が図６の反時計方向であるとき、対向する各一対の左突起部２２Ａ、右突起部２２Ｂは、プーリ２０の中心からの半径方向に対し（図６の符号Ａ参照）、θだけ少し反時計方向へ傾斜して配設されており、左突起部２２Ａ、右突起部２２Ｂがけん引ロープ７に食い込み易くなっている（若し、プーリ２０のけん引回転方向が図６の時計方向であるときは、対向する各一対の左突起部２２Ａ、右突起部２２Ｂを、プーリ２０の中心からの半径方向に対し、θだけ少し時計方向へ傾斜させて配設する）。
【００１２】
左突起部２２Ａと右突起部２２Ｂは、断面がプーリ２０の左右方向（プーリ２０の軸方向）に見た中心に向けて凸な断面山形となっており、プーリ２０の内周側から外周側へバー状に延設されている。この実施例では対向する左突起部２２Ａと右突起部２２Ｂは、全部で１０対が設けられている。けん引ロープ７はロープ溝２１の中の左突起部２２Ａと右突起部２２Ｂの間に挿入するようにして、プーリ２０に巻き掛けることができる。
【００１３】
ロープ溝２１の底部２３は、プーリ２０の軸方向に垂直な断面が略歯車（ラチェット歯車）状に形成されており（図６参照）、１０個の各歯の先端部が後述する外向き突起部（符号２２Ｃ）を成すようになっている。すなわち、ロープ溝２１の底部２３には、対向する各一対の左突起部２２Ａと右突起部２２Ｂに対応付けて、左突起部２２Ａの内周寄り端部と右突起部２２Ｂの内周寄り端部の間を軸方向に繋げるようにした外向き突起部２２Ｃが設けられている。外向き突起部２２Ｃは凸側が外周方向を向いており、ここでは、外向き突起部２２Ｃのプーリ軸に垂直な断面が、対応する一対の左突起部２２Ａと右突起部２２Ｂが内周側から外周側に延びた方向に向けて凸な山形となっている。
【００１４】
一対の左突起部２２Ａと右突起部２２Ｂ、及びこれらの左突起部２２Ａと右突起部２２Ｂの内周寄り端部間に設けた外向き突起部２２Ｃは、二股フォークまたは刺股状の形状を成し、ロープ溝２１に巻かれたけん引ロープ７の断面が略コ字状（または略Ｕ字状）に挟まれるようになっている。
【００１５】
次に、上記した実施例の作用を説明する。なお、プーリ２０が図１のロープけん引装置にプーリ２に代えて装着されているものとする。
ロープけん引装置を使用する場合、ロープ取り付け孔６に固定ロープ５の一端側を取り付け、他端側を柱等に固定しておく。また、一端側がけん引対象物に締結されたけん引ロープ７の他端側を入り口ロープガイド３、プーリ２０のロープ溝２１、出口ロープガイド４に巻きかけておく。プーリ２０に対してはロープ溝２１の中の左突起部２２Ａと右突起部２２Ｂの間にけん引ロープ７を挿入して巻き掛けるようにする。
プーリ２０の軸孔９に嵌着された回転軸８を図示しない減速機構を介して電動ドライバにより反時計方向に回転させると、けん引ロープ７がプーリ２０の周方向に沿って移動し、けん引対象物を装置側へけん引する。
【００１６】
プーリ２０に巻かれたけん引ロープ２０には、周方向の複数個所において、対向する一対の左突起部２２Ａと右突起部２２Ｂ、及びこれらの左突起部２２Ａと右突起部２２Ｂの内周寄り端部間に設けた外向き突起部２２Ｃとが、二股フォークまたは刺股状に食い込む。従って、けん引ロープ７が合成繊維ロープや麻ロープ等の天然繊維ロープであっても、滑り難くなる。
【００１７】
けん引ロープ７に掛かる荷重が大きくなって、けん引ロープ７がプーリ２０の中心側に寄ろうとしたとき、周方向の複数個所で外向き突起部２２Ｃにけん引ロープ７が食い込み、中心側への移動が阻止される。従って、けん引ロープ７が一対の左突起部２２Ａと右突起部２２Ｂに強く狭圧されて傷む恐れがなくなる。また、プーリ２０の中心とプーリ２０に巻かれたけん引ロープ７の距離が短くならないので、電動ドライバの負荷が激増せず、けん引速度が遅くなり過ぎたり、けん引不能になったりする恐れもない。
けん引ロープ７に外向き突起部２２Ｃが食い込むことで、プーリ２０に対しけん引ロープ７が滑りにくくなる。とくに、外向き突起部２２Ｃが左突起部２２Ａ、右突起部２２Ｂの延設方向（プーリ２０の中心からの半径方向に対し、θだけ反時計方向へ傾斜した方向）に凸な山形となっているのでけん引ロープ７へ大きな力で食い込むことができる。
また、けん引ロープ７がプーリ２０の中心側に寄って左突起部２２Ａ、右突起部２２Ｂ間にけん引ロープ７が強く挟圧されることがないことから、出口側のけん引ロープ７が入口側に戻って巻き込まれてしまう事態も起きない。
【００１８】
この実施例によれば、対向する各一対の左突起部２２Ａと右突起部２２Ｂに対応付けて、左突起部２２Ａの内周寄り端部と右突起部２２Ｂの内周寄り端部の間に凸側が外周方向を向いた外向き突起部２２Ｃを設け、一対の左突起部２２Ａと右突起部２２Ｂ及びこれらの内周寄り端部間に設けた外向き突起部２２Ｃとにより、ロープ溝２１に巻かれたけん引ロープ７の断面が略コ字状または略Ｕ字状に挟まれるようにしたことにより、プーリ２０に巻き掛けたけん引ロープ７に掛かる荷重が大きくなって、プーリ２０の中心寄りに移動しようとしても、外向き突起部２２Ｃに当接して邪魔されるので、プーリ２０の中心側に寄ることはなく、従って、けん引ロープ７が一対の左突起部２２Ａと右突起部２２Ｂに強く狭圧されて傷む恐れがなくなる。また、プーリ２０の中心とプーリ２０に巻かれたけん引ロープ７の距離が短くならないので、電動ドライバの負荷が激増せず、けん引速度が遅くなり過ぎたり、けん引不能になったりする恐れもない。
けん引ロープ７に外向き突起部２２Ｃが食い込むことで、プーリ２０に対しけん引ロープ７が滑りにくくなり、とくに、外向き突起部２２Ｃが左突起部２２Ａ、右突起部２２Ｂの延設方向（プーリ２０の中心からの半径方向に対し、θだけ反時計方向へ傾斜した方向）に凸な山形となっているのでけん引ロープ７へ大きな力で食い込むことができる。
また、けん引ロープ７がプーリ２０の中心側に寄って左突起部２２Ａ、右突起部２２Ｂ間にけん引ロープ７が強く挟圧されることがないことから、出口側のけん引ロープ７が入口側に戻って巻き込まれてしまう事態も起きない。
【００１９】
なお、上記した実施例ではプーリはアルミ製としたが、本発明は何らこれに限定されず、鋼製など、他の種類の材質としても良い。
また、プーリは全体が一体物とした例を挙げて説明したが、図５のＶＩＩ−ＶＩＩ’線に沿って左右に半分ずつに分割した一対のプーリ半体（図８の符号２０Ａ、図９の２０Ｂ参照）をボルト等で一体化して構成しても良い。
また、一対の左突起部と右突起部、及びこれらの内周側端部間に設けた外向き突起部を、全部で１０組配設した場合を例に挙げて説明したが、９組以下或いは１１組以上配設するようにしても良い。
また、ロープけん引装置に用いるプーリを例に挙げて説明したが、登高器等、他の機器に用いるプーリに適用することもできる。
【産業上の利用可能性】
【００２０】
本発明は、ロープけん引装置、登高器を初めとして各種機器に用いるプーリに適用可能である。
【符号の説明】
【００２１】
７  けん引ロープ
２０  プーリ
２１  ロープ溝
２２Ａ  左突起部
２２Ｂ  右突起部
２２Ｃ  外向き突起部
【図１】
2020143775.tif 000003
【図２】
2020143775.tif 000004
【図３】
2020143775.tif 000005
【図４】
2020143775.tif 000006
【図５】
2020143775.tif 000007
【図６】
2020143775.tif 000008
【図７】
2020143775.tif 000009
【図８】
2020143775.tif 000010
【図９】
2020143775.tif 000011
【手続補正書】
【提出日】令和1年6月22日(2019.6.22)
【手続補正１】
【補正対象書類名】特許請求の範囲
【補正対象項目名】全文
【補正方法】変更
【補正の内容】
【特許請求の範囲】
【請求項１】
ロープ溝の対向する左右の内側壁面の各々に、周方向に放射状に配設した多数の左突起部と右突起部が左右に間隔を開けて左右対称に対向して突設されており、ロープ溝の中の左突起部と右突起部の間にロープを挿入して巻き掛けるようにしたプーリにおいて、
対向する各一対の左突起部と右突起部をプーリの左右方向の中心に向けて凸な断面山形に形成し、
対向する各一対の左突起部と右突起部に対応付けて、左突起部の内周寄り端部と右突起部の内周寄り端部の間に凸側が外周方向を向いた外向き突起部を設け、
一対の左突起部と右突起部及びこれらの左突起部と右突起部の内周寄り端部間に設けた外向き突起部とにより、ロープ溝に巻かれたロープの断面が略コ字状または略Ｕ字状に挟まれるようにしたこと、
を特徴とするプーリ。
【請求項２】
ロープ溝の対向する左右の内側壁面の各々に、周方向に放射状に配設した多数の左突起部と右突起部が左右に間隔を開けて左右対称に対向して突設されており、ロープ溝の中の左突起部と右突起部の間にロープを挿入して巻き掛けるようにしたプーリにおいて、
対向する各一対の左突起部と右突起部に対応付けて、左突起部の内周寄り端部と右突起部の内周寄り端部の間に凸側が外周方向を向いた外向き突起部を設け、
一対の左突起部と右突起部及びこれらの左突起部と右突起部の内周寄り端部間に設けた外向き突起部とにより、ロープ溝に巻かれたロープの断面が略コ字状または略Ｕ字状に挟まれるようにし、
更に、
対向する各一対の左突起部と右突起部は、プーリ中心からの半径方向から、プーリのけん引回転方向と同じ方向に傾斜して設けたこと、
を特徴とするプーリ。
【請求項３】
ロープ溝の対向する左右の内側壁面の各々に、周方向に放射状に配設した多数の左突起部と右突起部が左右に間隔を開けて左右対称に対向して突設されており、ロープ溝の中の左突起部と右突起部の間にロープを挿入して巻き掛けるようにしたプーリにおいて、
対向する各一対の左突起部と右突起部に対応付けて、左突起部の内周寄り端部と右突起部の内周寄り端部の間に凸側が外周方向を向いた外向き突起部を設け、
一対の左突起部と右突起部及びこれらの左突起部と右突起部の内周寄り端部間に設けた外向き突起部とにより、ロープ溝に巻かれたロープの断面が略コ字状または略Ｕ字状に挟まれるようにし、
外向き突起部のプーリ軸に垂直な断面は、外向き突起部が対応する一対の左突起部と右突起部の延びた方向に向けて山形となっていること、
を特徴とするプーリ。
【請求項４】
外向き突起部のプーリ軸に垂直な断面は、外向き突起部が対応する一対の左突起部と右突起部の延びた方向に向けて山形となっていること、
を特徴とする請求項１または２記載のプーリ。
【手続補正２】
【補正対象書類名】明細書
【補正対象項目名】０００７
【補正方法】変更
【補正の内容】
【０００７】
請求項１記載の発明では、
ロープ溝の対向する左右の内側壁面の各々に、周方向に放射状に配設した多数の左突起部と右突起部が左右に間隔を開けて左右対称に対向して突設されており、ロープ溝の中の左突起部と右突起部の間にロープを挿入して巻き掛けるようにしたプーリにおいて、
対向する各一対の左突起部と右突起部をプーリの左右方向の中心に向けて凸な断面山形に形成し、
対向する各一対の左突起部と右突起部に対応付けて、左突起部の内周寄り端部と右突起部の内周寄り端部の間に凸側が外周方向を向いた外向き突起部を設け、
一対の左突起部と右突起部及びこれらの左突起部と右突起部の内周寄り端部間に設けた外向き突起部とにより、ロープ溝に巻かれたロープの断面が略コ字状または略Ｕ字状に挟まれるようにしたこと、
を特徴としている。
請求項２記載の発明では、
ロープ溝の対向する左右の内側壁面の各々に、周方向に放射状に配設した多数の左突起部と右突起部が左右に間隔を開けて左右対称に対向して突設されており、ロープ溝の中の左突起部と右突起部の間にロープを挿入して巻き掛けるようにしたプーリにおいて、
対向する各一対の左突起部と右突起部に対応付けて、左突起部の内周寄り端部と右突起部の内周寄り端部の間に凸側が外周方向を向いた外向き突起部を設け、
一対の左突起部と右突起部及びこれらの左突起部と右突起部の内周寄り端部間に設けた外向き突起部とにより、ロープ溝に巻かれたロープの断面が略コ字状または略Ｕ字状に挟まれるようにし、
更に、
対向する各一対の左突起部と右突起部は、プーリ中心からの半径方向から、プーリのけん引回転方向と同じ方向に傾斜して設けたこと、
を特徴としている。
請求項３記載の発明では、
ロープ溝の対向する左右の内側壁面の各々に、周方向に放射状に配設した多数の左突起部と右突起部が左右に間隔を開けて左右対称に対向して突設されており、ロープ溝の中の左突起部と右突起部の間にロープを挿入して巻き掛けるようにしたプーリにおいて、
対向する各一対の左突起部と右突起部に対応付けて、左突起部の内周寄り端部と右突起部の内周寄り端部の間に凸側が外周方向を向いた外向き突起部を設け、
一対の左突起部と右突起部及びこれらの左突起部と右突起部の内周寄り端部間に設けた外向き突起部とにより、ロープ溝に巻かれたロープの断面が略コ字状または略Ｕ字状に挟まれるようにし、
外向き突起部のプーリ軸に垂直な断面は、外向き突起部が対応する一対の左突起部と右突起部の延びた方向に向けて山形となっていること、
を特徴としている。
請求項４記載の発明では、
外向き突起部のプーリ軸に垂直な断面は、外向き突起部が対応する一対の左突起部と右突起部の延びた方向に向けて山形となっていること、
を特徴としている。